(57)【特許請求の範囲】
【請求項１】
筐体の同一側面に空気を吸込む吸込口と空気を吹出す吹出口とがそれぞれ一つずつ設けられ、
前記筐体内部は仕切板により、前記吸込口からの空気が吸込まれる吸込空間と、前記吹出口へ前記吸込空間に吸込む方向と反対方向に空気を吹出す吹出空間と、に仕切られるとともに、
前記吸込空間は、
前記吸込む方向と略同一方向の回転軸に取り付けられ、かつ、前記吸込空間内で前記仕切板側に配置され、前記吸込空間側から前記吹出空間に空気を吹出す複数のファンと、
前記回転軸に取り付けられ、前記複数のファンを駆動するファンモータと、
前記複数のファンと沿うように配置された熱交換器と、
前記吸込空間内で前記熱交換器の前記複数のファンに対して反対側に形成される空間に配置され、前記複数のファンの回転軸と略同一方向に、かつ、前記複数のファンと沿うように配置された横置型圧縮機と、
が配置され、
さらに前記吸込口から吸込まれた空気は前記複数のファンにより、前記横置型圧縮機が配置される前記空間に流れるとともに、前記熱交換器を通過してから前記複数のファンに吸い込まれた後に前記吹出空間に吹出されることを特徴とする屋内埋込型熱源機。
【請求項２】
請求項１に記載の屋内埋込型熱源機において、
前記吹出空間には、電気品箱が配置され、前記吹出空間から吹出される空気が前記電気品箱に設けられたフィンに流れることにより前記電気品箱の放熱が行われることを特徴とする屋内埋込型熱源機。
【請求項３】
請求項１又は２に記載の屋内埋込型熱源機において、
前記熱交換器の一端は前記複数のファンと前記吸込口との間の空間まで延長して設置されていることを特徴とする屋内埋込型熱源機。
【請求項４】
請求項２に記載の屋内埋込型熱源機において、
前記吸込口は前記複数のファンの吸込方向側における前記筐体面に設けられ、
前記熱交換器の一端は前記複数のファンと前記吸込口との間の空間まで延長して設置されていることを特徴とする屋内埋込型熱源機。
【請求項５】
請求項２〜４の何れかに記載の屋内埋込型熱源機において、
前記横置型圧縮機を駆動するインバータを備え、該インバータは前記電気品箱内に設けられていることを特徴とする屋内埋込型熱源機。
【請求項６】
請求項１〜５の何れかに記載の屋内埋込型熱源機において、
前記筐体は、前記吸込空間を構成する吸込空間側筐体と前記吹出空間を構成する吹出空間側筐体とを組合せて一体に構成されていることを特徴とする屋内埋込型熱源機。
【請求項７】
室内ユニットと室外ユニットとが冷媒配管により接続されることにより構成される空気調和機において、
前記室外ユニットとして、請求項１〜６の何れかに記載の屋内埋込型熱源機を採用したことを特徴とする空気調和機。
【発明の詳細な説明】
【技術分野】
【０００１】
本発明は屋内に埋め込まれた熱源機で屋外の空気と熱交換するようにした屋内埋込型熱源機に関し、特にその筐体構造，冷凍サイクル構成部品の配置，取付けに関するものである。
【背景技術】
【０００２】
一般に空気調和機の室外機（熱源機）は、建物の屋外に据付けされる。それ故、道路から室外機が見えることによって景観を損ねることがある。欧州では旧市街や文化財指定地域などでは景観規制条例により、室外機を屋上やベランダ等の人の目に付く場所に設置することを規制される都市もしくは地域がある。そのため、室外機を建物の屋内に配設する方式の空気調和機が望まれていた。
【０００３】
従来技術としては例えば特許文献１に記載のものがある。本文献にて示されている空気調和装置の室外機は、圧縮機，熱交換器，送風機と電気部品を備え、中央に配置された熱交換器と送風機の両側に、吸込口に接続された風路吸込口が設けられている。その風路に隣接して側板で仕切った機械室を設け、この機械室内に圧縮機と電気部品を設置したことを特徴としている。
【０００４】
【特許文献１】特開昭６２−２１８７４５号公報
【発明の開示】
【発明が解決しようとする課題】
【０００５】
しかし、上記特許文献１の構造では、狭い吸込流路が２箇所、広い吹出流路が１箇所となり、ダクト工事の際は３つのダクトを設ける必要がある。また、電気部品などの入った機械室における発熱による信頼性や、室外機外箱（筐体）のさらなる小型化には十分配慮がされていない。
【０００６】
上述のように、屋内に配設される熱源機は、近年増加している天井裏の高さが低い建物にも設置できるよう、薄型で軽量の筐体であることや、据付作業やサービス性が容易であることが要求されている。また、地球温暖化防止の観点から省電力型の高効率空気調和機が求められている。さらに、屋内は屋外と遮蔽されていることから、低騒音，低振動の筐体構造であることが要求される。
【０００７】
本発明の目的は、薄型かつコンパクトな屋内埋込型熱源機を得ることにある。
【０００８】
本発明の他の目的は、信頼性の高い屋内埋込型熱源機を得ることにある。
【０００９】
本発明の更に他の目的は、熱交換性能の高い屋内埋込型熱源機を得ることにある。
【課題を解決するための手段】
【００１０】
上記目的を達成するために、本発明の特徴は、筐体と、該筐体を吸込空間と吹出空間とに仕切る仕切板と、前記筐体面上に設けられ前記吸込空間に空気を吸込む吸込口と、前記筐体面上に設けられ前記吹出空間から空気を吹出す吹出口と、前記吸込空間の前記仕切板側に設けられ前記吸込空間側から前記吹出空間に空気を吹出すファンと、該ファンに接続されたファンモータと、前記吸込空間に設けられ前記ファンの回転軸と同軸方向に配置された横置型圧縮機と、前記ファンと前記横置型圧縮機との間に設けられた熱交換器とを備えた屋内埋込型熱源機にある。
【００１１】
本発明の他の特徴は、筐体と、該筐体を吸込空間と吹出空間とに仕切る仕切板と、前記筐体面上に設けられ前記吸込空間に空気を吸込む吸込口と、前記筐体面上に設けられ前記吹出空間から空気を吹出す吹出口と、前記吸込空間の前記仕切板側に設けられ前記吸込空間側から前記吹出空間に空気を吹出す２つの遠心ファンと、該遠心ファンの間に設けられたファンモータと、前記吸込空間に設けられ前記遠心ファンの回転軸と同軸方向に配置された横置型圧縮機と、前記遠心ファンと前記横置型圧縮機との間に設けられた熱交換器と、前記吸込空間側から空気が吹出される前記吹出空間に設けられた電気品箱とを備えた屋内埋込型熱源機にある。
【００１２】
ここで、前記吸込口は前記遠心ファンの吸込方向側における前記筐体面に設けられ、前記熱交換器の一端は前記遠心ファンと前記吸込口との間まで延長して設置してもよい。
【００１３】
本発明の更に他の特徴は、筐体と、該筐体を吸込空間と吹出空間とに仕切る仕切板と、前記筐体面上に設けられ前記吸込空間に空気を吸込む吸込口と、前記吸込口と同じ筐体面上に設けられ前記吹出空間から空気を吹出す吹出口と、前記吸込空間の前記仕切板側に沿って設けられ前記吹出空間に空気を吹出す２つの遠心ファンと、該遠心ファンの間に設けられたファンモータと、前記吸込空間に設けられ前記遠心ファンの回転軸と同軸方向に配置された横置型圧縮機と、前記遠心ファンと前記横置型圧縮機との間に設けられた熱交換器とを備え、前記吸込口は前記遠心ファンの吸込方向側における前記筐体面に設けられ、前記熱交換器の一端は前記遠心ファンと前記吸込口との間まで延長して設置されている屋内埋込型熱源機にある。
【００１４】
ここで、前記吸込空間側から空気が吹出される前記吹出空間に電気品箱を設けてもよい。
【００１５】
また、上記において前記横置型圧縮機を駆動するインバータを備えるものでは、該インバータを前記電気品箱内に設けるようにするとよい。
【００１６】
なお、前記筐体は前記吸込空間を構成する吸込空間側筐体と前記吹出空間を構成する吹出空間側筐体とを組合せて一体に構成してもよい。
【発明の効果】
【００１７】
本発明によれば、筐体を吸込空間と吹出空間とに仕切り、吸込空間に設けられ吹出空間に空気を吹出すファンと、そのファンの回転軸と同軸方向に配置された横置型圧縮機と、ファンと横置型圧縮機との間に設けられた熱交換器を備えているため、筐体が薄くコンパクトな屋内埋込型熱源機が得られる。
【００１８】
また、電気品箱を吹出空間の風路の途中に配置しているため、吸込空間に大きなスペースを確保することが不要となり、さらなるコンパクト化を図ることができると共に、発熱する電気品箱の冷却が可能となることで、屋内埋込型熱源機の信頼性が向上できる効果がある。
【００１９】
また、熱交換器の一端をファンと吸込口との間まで延長して設置しているため、熱交換器の伝熱面積を拡大できるだけでなく、吸込口に近接して熱交換器を配置することで、効率よく外気を熱交換器に取り込むことができる。したがって、熱交換性能を更に向上できる効果がある。
【発明を実施するための最良の形態】
【００２０】
以下、本発明に関わる実施例を図面に基づき説明する。
【実施例１】
【００２１】
本実施例による屋内埋込型熱源機は屋内に設置され、概ね屋内の天井２０と天井板２１との間の空間に設置される。図３（ａ）に示すとおり、据付けの形態としては、天井２０から吊り下げられた４本の吊りボルト１９に、屋内埋込型熱源機に取付けられた吊りステー１６を引掛けることによって、吊り下げ設置される。
【００２２】
あるいは、天井板２１が強固な場合は、図３（ｂ）に示すように、天井板２１の上に防振材３６などを敷いた上で、直接屋内埋込型熱源機をその上に乗せて設置する。そのため、屋内埋込型熱源機の下面はネジなどの突起物は設けないようにし、水平面としている。
【００２３】
また、図４（ａ）に示すとおり、屋内埋込型熱源機の空気吸込口１４と空気吹出口１５は同一側面に配置されている。屋内埋込型熱源機は建物の外壁３３の近傍に取付けられ、建物に設けられた外気吸込用の格子状のギャラリー３２を介して外気を取入れることが多いため、空気吸込口１４と空気吹出口１５が同一面上に配置されていることが好ましい。
【００２４】
建物の外壁３３より少し離れた場所に設置される場合には、図に示すように、空気吸込口１４と空気吹出口１５はエアーダクト２２を介して建物の壁面開口接続される構造とし、据付工事の際に容易にエアーダクト２２を取付け可能としている。また、本製品の機外静圧は約５０Ｐａまで対応可能である。これにより、製品据付場所の自由度の向上を図ることができる。
【００２５】
さらに、図４（ｂ）に示すように、屋内埋込型熱源機は、建物のコーナー部分にも設置することができるよう、空気吹出口１５に対し、その隣側面（圧縮機が設置されている側の筐体側面）にも空気吸込口１４を設けることを可能とした筐体構造を有している。即ち、空気吸込口１４の取付け位置を変えることができるようにして、更に製品の据付性の自由度を拡大している。
【００２６】
屋内埋込型熱源機は図１及び図８に示す構造となっている。空気吸込口１４がある吸込空間と空気吹出口１５がある吹出空間を仕切板２３にて分割した構造となっている。吸込空間には圧縮機１，冷媒量調整器８，室外熱交換器（熱源機の熱交換器）３，ファンモータ２６，ファンモータ２６の両軸に締結されたシロッコファン２５、これらのシロッコファン２５を囲うように設けたファンケーシング２４が配置され、仕切板２３に締結されている。また、冷凍サイクルを構成する四方弁２，室外膨張弁（熱源機の膨張弁）５、及びサイクル配管類も吸込空間内に配置されている。一方、吹出空間には電気品箱１７が配置されている。
【００２７】
屋内埋込型熱源機は天井裏に設置するため、製品の高さはできるだけ低い方が、より多様な建物に設置ができるようになる。そこで、本発明の製品高さは欧州の特定地域での天井裏高さ建築基準の４５０mm未満とし、製品幅寸法は欧州の特定地域の天井梁間隔寸法４０００mmの建築基準に対して、製品を３台横に連続設置できるような寸法を設定している。例えば、製品高さ４３０mm以下、幅及び奥行き５００〜１３００mmとする。
【００２８】
屋内埋込型熱源機の冷凍サイクル系統図を図２に示す。冷凍サイクルは室外ユニット（熱源機ユニット）１２と室内ユニット１３を冷媒配管にて接続することによって構成される。
【００２９】
室外ユニット１２には室外膨張弁５が取付けられており、冷媒量の調整を行う。室外熱交換器３にはサブクーラ７が設けられており、過冷却度を大きく確保することにより性能の向上を図るようにしている。また、サブクーラ７の後に冷媒量調整器８が設けられており、余剰冷媒の調整を行っている。さらに、圧縮機１の吸入側と吐出側をバイパスする回路を設けキャピラリ３７と電磁弁１１を設けている。これは、圧縮機起動時などの過渡時に液冷媒が圧縮機１に戻ることを防止するため取付けられているものである。
【００３０】
一方、室内ユニット１３には室内熱交換器４と室内膨張弁６が取付けられている。
【００３１】
屋内埋込型熱源機の製品高さを低く抑えるために、横型の圧縮機１を採用している。送風機には遠心式のシロッコファン２５を採用している。冷房能力１２.５ｋＷ用製品で風量６０ｍ3を１個のシロッコファン２５にて得るためには、シロッコファン２５及びファンケーシング２４は大口径の部品となり、製品薄型化の阻害要因となる。そこで、本実施例では小口径のシロッコファン２５を２個用とし、ファンケーシング２４を薄型化することによって製品高さを縮減した。
【００３２】
本実施例ではシロッコファンを採用しているが、その他の遠心ファンでもよい。さらに、ファンケーシングの構造によっては貫流ファンを採用してもよい。
【００３３】
また、製品の高さを低くするためには、室外熱交換器３の高さも低くする必要がある。ところが、冷暖能力等の性能を確保するためには室外熱交換器３の伝熱面積をできるだけ多くすることが必要になってくる。そこで、室外熱交換器３の形状をＬ型とすることによって、狭い空間内で最大限に熱交換器面積を確保できるようにする。また、室外熱交換器３の冷媒配管の列数は４列として熱交換量の最大化を図る。この列数を多くするほど、伝熱面積は大きくなり熱交換量は増加するが、その反面通風抵抗が大きくなり風量が低下し結果的に熱交換量は低下してしまう。そこで、通風抵抗と熱交換器列数による熱交換量の関係から、最適である４列を選定する。
【００３４】
圧縮機１には横型のインバータ圧縮機を用いる。一定速機の場合は室温制御の際、圧縮機１の運転状態はＯＮ／ＯＦＦ制御となるため、屋内の空調対象部屋の快適性が損なわれ、かつ消費電力が大きく効率が良くないが、インバータ圧縮機を採用することにより周波数制御による最適運転が可能となる。インバータは周波数が概ね１５Ｈｚから１１５Ｈｚの範囲で周波数を可変することができるため、冷房及び暖房の立ち上がり特性の向上や、消費電力を低減することができるなどのメリットがある。
【００３５】
圧縮機１は３０kg以上の重量物であるため、キャビネット（筐体）のコーナー部分で吊りステー１６の近傍に配置されている。これによってキャビネットのたわみを抑制すると同時に、圧縮機１からの振動を吊りボルト１９に伝達しやすいようにしている。キャビネットのたわみを抑制するために、キャビネットの底面を補強する部材を備えてもよい。また、圧縮機１から発生する異常音を防止するため、圧縮機１の下面には圧縮機固定板３４を設け、建物の室内側に音が伝播することを抑制する。
【００３６】
室外熱交換器３はファンケーシング２４・ファンモータ２６と圧縮機１・冷媒量調整器８の中間に配置されている。空気吸込口１４に近い部分はＬ型の室外熱交換器３の短辺側とし熱交換を促進させる。Ｌ型の室外熱交換器３の長辺側は、熱交換が有効にできるように、圧縮機１と冷媒量調整器８を空気吸込口１４から遠ざけることによって吸込抵抗を減らしている。室外熱交換器３のガスヘッダや液ヘッダは圧縮機１などに接続されるサイクル配管を短くするため、室外熱交換器３の長辺側に取付けてある。
【００３７】
ファンケーシング２４，シロッコファン２５及びファンモータ２６からなる送風機は、吸込空間と吹出空間を仕切る仕切板２３に固定され、筐体の間に配置されている。シロッコファン２５は２個使いとし、ファンモータ２６は両軸のものを使用し、２つのシロッコファン２５の間に配置している。一方、ファンモータ２６を片軸としシロッコファン２５を２個隣り合わせで配置することもできる。この場合、カップリングで軸を連結させる必要がある。ファンモータ２６の回転軸は横型の圧縮機１の回転軸と向きを並べて配置する。これにより、例えばファンモータ２６の回転軸と横型の圧縮機１の回転軸とを平行にすれば、空気吸込口１４への投影面積が最小化されることから、空気吸込口１４からの吸込空気の抵抗を最小化でき、吸込空気側の騒音低減に寄与できる。
【００３８】
空気吸込口１４に近い側のシロッコファン２５は吸込空気量が大きくファンの仕事量は大きいが、空気吸込口１４から遠い側のシロッコファン２５は機内抵抗が大きくなるため、吸込空気量が小さくなりファンの仕事量は小さくなる。その割合は条件にもよるが、空気吸込口１４から近い側と遠い側ではおよそ７対３または６対４となる。図１のシロッコファン２５は同径品を採用しているが、空気吸込口１４に近い側のシロッコファン２５の口径は大きく、遠い側のシロッコファン２５の口径は小さくする等の、異径シロッコファンを採用することもできる。
【００３９】
送風機用のファンモータ２６にはＡＣモータを使用して、ファン制御にはサイリスタ制御を使用する。サイリスタ制御はタップ制御と比較すると多段階制御が可能であり、制御因子に応じてファンステップの切り替えが可能である。また、ファン入力を低減する手段としては、高効率のＤＣモータを採用する方法もある。入力を低減することにより冷暖ＣＯＰの更なる向上も見込まれる。
【００４０】
電気品箱１７は筐体の吹出空間に配置される。圧縮機１のモータをインバータ駆動することから、電気品箱１７にはインバータ駆動装置が備えられている。インバータ駆動装置は発熱量が大きいことから、放熱用のインバータフィン１８を備えている。インバータフィン１８からの放熱性能を向上させるため、電気品箱１７の外側にインバータフィン１８が露出するように配置し、シロッコファン２５からの吹出空気を直接インバータフィン１８に当てることによって、放熱性能を高めている。
【００４１】
また、筐体の吹出空間の気流の流れを整流化し、圧力損失を低減するため、電気品箱１７の形状を台形状に形成した。これによって、機内抵抗の改善も図ることができる。
【００４２】
筐体の吸込空間と吹出空間との容積比、あるいは幅寸法比はそれぞれ５対５または６対４とすることが望ましい。どちらか一方の空間が狭い場合、空気吸込口１４あるいは空気吹出口１５の開口面積が狭くなることから、通過風速が過大となり、圧力損失が大きくなる。結果的にファンモータ２６の入力増加となり冷暖ＣＯＰの低下を招くことになる。更に、風速過大による風切音による騒音増加の要因ともなる。
【００４３】
屋内埋込型熱源機は図６に示すように、吸込用側板２９ｂ及び吹出口用側板２９ａの設けられた面の反対側の面であるサービス用側板２８ａ及び２８ｂから製品のサービス、メンテナンスをすることが多い。その理由は、屋内埋込型熱源機の上面は天井高さが低い場合はサービススペースが限られていること、また、左右両側面も連続設置や、建物の壁面に近接設置することがあり、サービススペースが限られてしまうためである。さらに、下面は圧縮機等の重量物があることから、構造的，強度的な見地からサービス用の窓を開口できないためである。
【００４４】
したがって、サービス用側板２８ａの裏側（内部側）に電気品箱１７を配置することで、配線接続作業が容易に行える。さらに、製品を据付け時に冷媒配管工事やドレン配管工事をする際にも、サービススペースから製品にアクセスできるよう、図１に示す如く冷媒配管用のガス側阻止弁９，液側阻止弁１０，ドレン配管用のドレンボス２７ｂは全て製品のサービススペース側である、サービス用側板２８ｂ側に配置されている。
【００４５】
屋内埋込型熱源機は、圧縮機１，室外熱交換器３，ファンモータ２６といった重量物を搭載し、かつこれらを組込んだキャビネット（筐体）を天井２０から吊り下げるための十分な強度を有する必要がある。また、圧縮機１，ファンモータ２６から引き起こされる振動を抑制する構造を有する必要もある。そこで図５の（ａ）に示すとおり、キャビネットの底ベースはＬ型の吊りステー１６ａを２本と吊りステー１６ｂを２本使用し、井桁状に形成したフレーム構造としている。Ｌ型の吊りステー１６ａにはその両端に吊りボルト取付け用の切欠きを設けている。また、図５の（ｂ）に示すように、底板３５には補強用のステー１６ｃが格子状に配置されている。
【００４６】
Ｌ型の吊りステー１６ａ及び１６ｂの上に、箱状に形成した底板３５を乗せることによって、底ベースを構成している。この底板３５は２次ドレンパンの役割も有し、万一ドレンパン２７ａから水漏れが起きた場合でも、その落下水を保水できるようにしている。
【００４７】
一般に空気調和機の室外機は、暖房運転時に室外熱交換器３への着霜や着氷による熱交換性能を改善するために除霜運転を行う。そのため除霜運転時には室外熱交換器３から大量の凝縮水が発生する。屋内埋込型熱源機の場合は、屋内の天井裏に設置されるため、凝縮水を保水するためのドレンパン２７ａが設けられている。ドレンパン２７ａは傾斜が付けられており、排水性を向上させている。ドレンパン２７ａの最も高さが低くなっている位置にはドレンボス２７ｂが設けられている。据付工事の際にはドレンホースをドレンボス２７ｂに接続することにより凝縮水を機外に排出することができる。
【００４８】
ファンケーシング２４，ファンモータ２６の両軸に固定されたシロッコファン２５で構成される送風機組品の取付け位置は、室外熱交換器３の空気流路下流側としている。送風機組品を熱交換器の下流側に配置することによって、室外熱交換器３に流入する空気の風速分布をほぼ一様にできるため、室外熱交換器３の各パス毎の熱交換量を均一化できる。したがって、室外熱交換器３の総熱交換量は大きくなり、冷暖性能が向上することとなる。
【００４９】
本実施例では、屋内埋込型熱源機のファンモータ２６の部品交換、いわゆるサービス性を良くするため、送風機組品を一体化している。図７に示すように、送風機組品は、シロッコファン２５，ファンケーシング２４，ファンモータ２６及びこれら部品を固定するためのファン取付板３８で構成されている。
【００５０】
送風機組品一体による引出しを可能とするため、筐体の天板及び仕切板２３にはガイドレール（図示せず）が設けられている。送風機組品はネジなどの締結部品で仕切板２３に固定される。ファンモータ２６の交換などのサービスの際には、ネジなどの締結部品を取外し、送風機組品をユニットから引き出すことによって、送風機組品を取外すことができる。これによって、ファンモータ２６交換等を容易に行うことができる。もし、この構造を用いないと、ファンモータ２６の交換等の都度、製品本体を取外すなどの作業が必要になってしまう。
【実施例２】
【００５１】
上記実施例では、屋内埋込型熱源機は仕切板２３を介して吸込空間と吹出空間に分割されているが、吹出空間には電気品箱１７以外の構成部品がないことから、吹出空間を構成する筐体及び電気品箱１７を吸込空間を構成する筐体とは別パーツとすることも考えられる。即ち、吸込空間を構成するユニット（吸込ユニット）と吹出空間を構成するユニット（吹出ユニット）の２つに分け、電気品箱１７については吸込ユニットに外付けする。これによって、吸込ユニットには吹出ユニット以外の全ての構成部品を統合することができ、これによって、屋内埋込型熱源機としては実質的に吸込ユニットのみとし、吹出ユニットは送風機からの吹出空気の流路を構成するための部品であるため、据付工事の際、据付場所の状況に合わせて自由に吹出ユニットを製作すればよい。したがって、本実施例によれば、小形化できると共に、据付けの自由度も大幅に向上できる効果がある。
【００５２】
なお、上述した実施例の屋内埋込型熱源機は景観条例等により、室外機（熱源機）を屋外に設置することが禁止されている地域において特に有用である。また、屋外やベランダなどに室外機を設置するスペースがないときにも有効であり、天井だけでなく床下や壁に配置することも可能である。
【図面の簡単な説明】
【００５３】
【図１】本発明の屋内埋込型熱源機の実施例１で示す配置構成図。
【図２】本発明の実施例１における冷凍サイクル系統図。
【図３】図１に示す熱源機を天井に設置した状態を示す図で、（ａ）は天井に吊り下げた場合の正面図、（ｂ）は天井板に設置した場合の正面図。
【図４】（ａ）は図３に示す熱源機を屋外壁開口とダクトで接続した状態を説明する図、（ｂ）は図の変形例を説明する図。
【図５】（ａ）は図１に示す筐体における底ベースの構造を示す図、（ｂ）は底ベースに設置される底板の構成図。
【図６】図１に示す筐体における側板の構造図。
【図７】図１に示す送風機の構造を説明する正面図（ａ）と側面図（ｂ）。
【図８】図１のＡ−Ａ矢視図。
【符号の説明】
【００５４】
１  圧縮機
２  四方弁
３  室外熱交換器（熱源機の熱交換器）
４  室内熱交換器
５  室外膨張弁（熱源機の膨張弁）
６  室内膨張弁
７  サブクーラ
８  冷媒量調整器
９  ガス側阻止弁
１０  液側阻止弁
１１  電磁弁
１２  室外ユニット
１３  室内ユニット
１４  空気吸込口
１５  空気吹出口
１６  吊りステー
１７  電気品箱
１８  インバータフィン
１９  吊りボルト
２０  天井
２１  天井板
２２  エアーダクト
２３  仕切板
２４  ファンケーシング
２５  シロッコファン
２６  ファンモータ
２７  ドレンパン
２８  サービス用側板
２９  吸込吹出口用側板
３０  吹出空間用側板
３１  吸込空間用側板
３２  ギャラリー
３３  外壁
３４  圧縮機固定板
３５  底板
３６  防振材
３７  キャピラリ
３８  ファン取付板
【図１】
0005097576.tif 000002
【図２】
0005097576.tif 000003
【図３】
0005097576.tif 000004
【図４】
0005097576.tif 000005
【図５】
0005097576.tif 000006
【図６】
0005097576.tif 000007
【図７】
0005097576.tif 000008
【図８】
0005097576.tif 000009